(57)【要約】      （修正有）【課題】車を格納する車庫や非常時の仮設テント等として利用できる組み立て式テントを提供する。【解決手段】組み立て式テント１０は、主に、その一部が回動する柱脚部１１と、柱脚部１１に着脱自在に固定される柱部１２と、柱部１２の上端側に着脱自在に固定される梁部１３と、柱脚部１１、柱部１２及び梁部１３にて形成された空間部１５を覆うシート部１６と、を有している。柱脚部１１、柱部１２及び梁部１３等、組み立て式テント１０の構成部材は、アルミ材にて形成されることで、軽量化され、高齢者や女性等の非力な人でも、容易に持ち運び、所望の箇所に組み立て式テント１０を組み立てることができる。【選択図】図１
0003213799.tif 000002
【実用新案登録請求の範囲】
【請求項１】
設置面上に配設されると共に、その一部が回動自在に動く柱脚部と、
その一部が前記柱脚部と重畳すると共に、前記柱脚部の延在方向にて前記設置面上に配設される支持補助部と、
その一端側が前記柱脚部に対して着脱自在に固定される柱部と、
前記柱部の他端側に固定されると共に、その両端側が前記柱部に固定される梁部と、
前記柱脚部、前記柱部及び前記梁部にて形成される空間部を覆うように配設されるシート部と、を有することを特徴とする組み立て式テント。
【請求項２】
前記柱脚部は、
前記設置面上に配設される支持土台部と、
前記支持土台部に挿通される軸部に対して、その一端側が回動自在に固定される複数の可動部材と、
前記可動部材の他端側に固定されると共に、その一部が前記可動部材の前記他端側から導出する連結部材と、を有し、
前記複数の柱部の中で前記設置面上に配設される前記柱部は、その上面から前記支持補助部にて覆われることを特徴とする請求項１に記載の組み立て式テント。
【請求項３】
前記柱脚部は、前記空間部の両端側の中央に対向するように一対配設され、
複数の前記柱部は、それぞれ複数の前記可動部材の前記他端側から導出する前記連結部材に対して固定されると共に、隣り合う前記柱部は、その前記他端側にて間隔プレートにより固定され、
前記複数の梁部は、それぞれ前記一対の柱脚部に固定された前記柱部間に配設されると共に、前記複数の梁部は、その前記両端側にて前記柱部と方杖部にて固定されることを特徴とする請求項２に記載の組み立て式テント。
【請求項４】
前記柱脚部の前記支持土台部の前記延在方向の両端側には、それぞれ前記支持補助部が重畳して配設され、
前記支持土台部と前記支持補助部とが重畳した領域には、前記支持補助部の上面を押さえこむように重り部が配設され、前記支持土台部及び前記支持補助部の動きが規制されることを特徴とする請求項２または請求項３に記載の組み立て式テント。
【請求項５】
前記シート部は、２枚の屋根シート部と、２枚の壁面シート部と、を有し、
前記屋根シート部は、前記梁部の上面を覆うと共に、それぞれ両端側にて前記柱部の上端側に設けられた係止突起部に対して係止され、
前記壁面シート部は、それぞれその上端側にて前記柱部の係止突起部に係止されると共に、その下端側にて前記支持補助部に設けられた係止突起部に係止されることを特徴とする請求項４に記載の組み立て式テント。
【考案の詳細な説明】
【技術分野】
【０００１】
本考案は、車を格納する車庫や非常時の仮設テント等として利用できる組み立て式テントに関し、特に、個々の構成部材を軽量化することで、非力な人でも簡単に持ち運びし、所望の箇所に容易に組み立てることが可能な組み立て式テントに関する。
【背景技術】
【０００２】
図５は、従来の開閉式テントを示す斜視図である。図６（Ａ）は、従来の開閉式テントの使用時の状態を示す側面図である。図６（Ｂ）は、従来の開閉式テントの収納時の状態を示す側面図である。尚、図６（Ａ）及び図６（Ｂ）の説明では、幕体１０７に覆われる部分も実線にて図示している。
【０００３】
図５に示す如く、開閉式テント１００は、主に、ベースフレーム１０１と、ベースフレーム１０１の両端に配設される支点ブラケット１０２と、支点ブラケット１０２に固定される垂直フレーム１０３及び傾斜補強フレーム１０４と、垂直フレーム１０３を補強する水平補強フレーム１０５と、支点ブラケット１０２に対して回動自在に取り付けられた複数の可動フレーム１０６と、収納空間を覆う幕体１０７と、を有している。
【０００４】
開閉式テント１００は、所望の設置個所に置くだけで設置が完了し、必要に応じて重りとなる石等をベースフレーム１０１の上に載置するだけで更に頑強な固定が実現される。
【０００５】
図６（Ａ）では、使用状態の開閉式テント１００を示すが、開閉式テント１００は、支点ブラケット１０２に対して可動フレーム１０６を回動させることで、３つの収納空間１０８、１０９、１１０が形成される。収納空間１０８は、垂直フレーム１０３にて形成され、収納空間１０９、１１０の間に形成される。一方、収納空間１０９、１１０は、可動フレーム１０６の自重を利用して、垂直フレーム１０３の位置から下方へと回動させることで、簡単に収納空間１０８の両側に形成される。
【０００６】
図６（Ｂ）では、収納状態の開閉式テント１００を示すが、開閉式テント１００は、収納空間１０８を形成する垂直フレーム１０３に向けて、それぞれ収納空間１０９、１１０を形成する可動フレーム１０６を上方へと回動させることで、簡単に収納状態とすることができる（例えば、特許文献１参照。）。
【先行技術文献】
【特許文献】
【０００７】
【特許文献１】特開２００４−１２４４８６号公報
【考案の概要】
【考案が解決しようとする課題】
【０００８】
上述した開閉式テント１００は、図６（Ｂ）に示すように、垂直フレーム１０３にて形成される収納空間１０８は、常時、設置された状態であり、収納空間１０９、１１０が、収納空間１０８の両側に収納された状態にて、持ち運びされる。そのため、開閉式テント１００の不使用時には、開閉式テント１００は、ある程度の大きさを有することで、嵩張り、搬送できる車両にも限界があり、持ち運びが大変であると共に、その収納スペースの確保も大変であるという問題がある。更には、収納時における開閉式テント１００の上記構造により、非力な人では簡単に持ち運びし、設置することが難しいという問題もある。
【０００９】
また、上述した問題を解決するために、収納時や持ち運び時に開閉式テント１００を一度解体することで、対応することも可能である。しかしながら、開閉式テント１００の骨組みである垂直フレーム１０３や可動フレーム１０６は、例えば、門型形状であり、解体して搬送する場合でも、嵩張り、搬送できる車両にも限界があり、持ち運びが大変であると共に、その収納スペースの確保も大変であるという問題がある。
【００１０】
本考案は、上記の事情に鑑みてなされたものであり、その構成部品を細分化すると共に、個々の構成部品を軽量化することで、非力な人でも持ち運ぶことができ、簡単に組み立てることが可能な組み立て式テントを提供することにある。
【課題を解決するための手段】
【００１１】
本考案の組み立て式テントでは、設置面上に配設されると共に、その一部が回動自在に動く柱脚部と、その一部が前記柱脚部と重畳すると共に、前記柱脚部の延在方向にて前記設置面上に配設される支持補助部と、その一端側が前記柱脚部に対して着脱自在に固定される柱部と、前記柱部の他端側に固定されると共に、その両端側が前記柱部に固定される梁部と、前記柱脚部、前記柱部及び前記梁部にて形成される空間部を覆うように配設されるシート部と、を有することを特徴とする。
【００１２】
また、本考案の組み立て式テントでは、前記柱脚部は、前記設置面上に配設される支持土台部と、前記支持土台部に挿通される軸部に対して、その一端側が回動自在に固定される複数の可動部材と、前記可動部材の他端側に固定されると共に、その一部が前記可動部材の前記他端側から導出する連結部材と、を有し、前記複数の柱部の中で前記設置面上に配設される前記柱部は、その上面から前記支持補助部にて覆われることを特徴とする。
【００１３】
また、本考案の組み立て式テントでは、前記柱脚部は、前記空間部の両端側の中央に対向するように一対配設され、複数の前記柱部は、それぞれ複数の前記可動部材の前記他端側から導出する前記連結部材に対して固定されると共に、隣り合う前記柱部は、その前記他端側にて間隔プレートにより固定され、前記複数の梁部は、それぞれ前記一対の柱脚部に固定された前記柱部間に配設されると共に、前記複数の梁部は、その前記両端側にて前記柱部と方杖部にて固定されることを特徴とする。
【００１４】
また、本考案の組み立て式テントでは、前記柱脚部の前記支持土台部の前記延在方向の両端側には、それぞれ前記支持補助部が重畳して配設され、前記支持土台部と前記支持補助部とが重畳した領域には、前記支持補助部の上面を押さえこむように重り部が配設され、前記支持土台部及び前記支持補助部の動きが規制されることを特徴とする。
【００１５】
また、本考案の組み立て式テントでは、前記シート部は、２枚の屋根シート部と、２枚の壁面シート部と、を有し、前記屋根シート部は、前記梁部の上面を覆うと共に、それぞれ両端側にて前記柱部の上端側に設けられた係止突起部に対して係止され、前記壁面シート部は、それぞれその上端側にて前記柱部の係止突起部に係止されると共に、その下端側にて前記支持補助部に設けられた係止突起部に係止されることを特徴とする。
【考案の効果】
【００１６】
本考案の組み立て式テントでは、その一部が回動する柱脚部と、その一部が柱脚部と重畳するように設置面上に配設される支持補助部と、柱脚部に着脱自在に固定される柱部と、柱部の上端側に着脱自在に固定される梁部と、柱脚部、柱部及び梁部にて形成された空間部を覆うシート部と、を有している。そして、柱脚部、柱部及び梁部等、組み立て式テントの構成部材は、アルミ材にて形成されることで、軽量化され、高齢者や女性等の非力な人でも、容易に持ち運び、所望の箇所に組み立て式テントを組み立てることができる。
【００１７】
また、本考案の組み立て式テントでは、柱脚部は、設置面上に固定される支持土台部と、支持土台部に対して回動自在に固定される可動部材と、可動部材に固定される連結部材と、を有している。そして、支持補助部は、設置面上に配設される柱部を上面から覆うように配設される。この構造により、組み立て式テントのベース構造が、安定した状態にて形成され、地震等の揺れや風による風圧に対して強い構造が実現される。
【００１８】
また、本考案の組み立て式テントでは、一対の柱脚部に対してそれぞれ複数の柱部が固定され、その柱部間に梁部が固定されることで、組み立て式テントの骨組みである門型形状が形成される。そして、柱部と梁部とは、その上端側にて方杖部にて固定される。この構造により、地震等の揺れや風による風圧に対して強い構造の組み立て式テントが実現される。
【００１９】
また、本考案の組み立て式テントでは、柱脚部の前後方向の両端側に、それぞれ柱部の上面を覆うように支持補助部が配設され、組み立て式テントのベース構造が形成される。そして、支持補助部の上面には、適所に複数の重り部が配設される。この構造により、組み立て式テントに地震等の揺れや風による風圧が加わった場合でも、重り部により支持補助部や柱部の動きが規制され、安定した状態を維持できる組み立て式テントが実現される。
【００２０】
また、本考案の組み立て式テントでは、シート部は、２枚の屋根シート部と、２枚の壁面シート部と、を有している。そして、柱部や支持補助部には、シート部を係止する係止突起部が形成され、屋根シート部や壁面シート部は、それぞれ係止突起部に簡易に係止される。この構造により、組み立て式テントを容易に組み立てることができる。
【図面の簡単な説明】
【００２１】
【図１】本考案の実施形態に係る組み立て式テントを説明する図であり、（Ａ）斜視図、（Ｂ）側面図である。
【図２】本考案の実施形態に係る組み立て式テントを説明する図であり、（Ａ）断面図、（Ｂ）平面図、（Ｃ）断面図である。
【図３】本考案の実施形態に係る組み立て式テントの柱脚部を説明する図であり、（Ａ）側面図、（Ｂ）斜視図である。
【図４】本考案の実施形態に係る組み立て式テントの変形例を説明する側面図である。
【図５】従来の開閉式テントを説明する斜視図である。
【図６】従来の開閉式テントを説明する図であり、（Ａ）側面図、（Ｂ）前面図である。
【考案を実施するための形態】
【００２２】
以下に、本考案の実施形態に係る組み立て式テントを図面に基づき詳細に説明する。尚本実施形態の説明の際には、同一の部材には原則として同一の符番を用い、繰り返しの説明は省略する。
【００２３】
図１（Ａ）は、本実施形態の組み立て式テント１０を説明する斜視図である。図１（Ｂ）は、本実施形態の組み立て式テント１０を説明する側面図であり、車両２１が組み立て式テント１０に対して出し入れ可能な状態を示している。尚、図１（Ａ）及び図１（Ｂ）では、説明の都合上、重り部１８（図２（Ｂ）参照）を省略して図示している。
【００２４】
図１（Ａ）に示す如く、組み立て式テント１０は、主に、地上等の設置面Ｇ上に配設される柱脚部１１と、柱脚部１１に着脱自在に固定される柱部１２と、柱部１２の上端側に着脱自在に固定される梁部１３と、隣り合う柱部１２同士を一定間隔に固定する間隔プレート１４と、柱脚部１１、柱部１２及び梁部１３にて形成される空間部１５の外側を覆うシート部１６と、柱脚部１１の前後両端側に延在する支持補助部１７と、支持補助部１７を覆うように配設される複数の重り部１８と、を有している。
【００２５】
組み立て式テント１０では、柱脚部１１、柱部１２及び梁部１３等の各構成部品が、アルミ材から形成されることで軽量化が実現されると共に、各構成部品をばらした状態にて持ち運ぶことができる。この構造により、高齢者や女性等の非力な人でも、各構成部品を設置場所へと容易に持ち運ぶことができ、組み立てることができる。
【００２６】
詳細は図３（Ａ）及び図３（Ｂ）を用いて後述するが、柱脚部１１は、設置面Ｇ上に配設される支持土台部１１Ａと、支持土台部１１Ａに対して回動自在に固定される複数の可動部材１１Ｂと、可動部材１１Ｂに固定される連結用の連結部材１１Ｃと、可動部材１１Ｂを軸支する軸部１１Ｄ（図３（Ａ）参照）と、を有している。本実施形態では、９枚の可動部材１１Ｂが、支持土台部１１Ａの枠内に収納されている。
【００２７】
図示したように、組み立て式テント１０が設置された状況では、前後方向の両端側に位置する１枚目及び９枚目の可動部材１１Ｂは、それぞれ設置面Ｇと略平行となるように、１８０度開いた状態にて配設されている。そして、２枚目から８枚目の可動部材１１Ｂは、それぞれ隣り合う可動部材１１Ｂ同士が２２．５度離間した状態にて、配設されている。
【００２８】
柱部１２は、例えば、その長手方向（延在方向）と水平方向の断面が略Ｌ字形状の等辺アングルであり、縦：４０ｍｍ×横：４０ｍｍ×厚み：５ｍｍの寸法を有している。柱部１２は、その下端側にて、可動部材１１Ｂから導出する連結部材１１Ｃに対してボルト締結される。この構造により、柱部１２は、柱脚部１１の可動部材１１Ｂと連結し、可動部材１１Ｂに連動して支持土台部１１Ａに対して回動自在に動くことができる。
【００２９】
梁部１３は、例えば、その長手方向（延在方向）と水平方向の断面が略Ｌ字形状の不等辺アングルであり、縦：６０ｍｍ×横：４０ｍｍ×厚み：５ｍｍの寸法を有している。図示したように、柱脚部１１は、組み立て式テント１０の左右両端部の中央部に一対配設され、それぞれ９本の柱部１２が固定されている。そして、梁部１３は、その左右両端側に配設される柱部１２に対して、それぞれボルト締結されることで、一体の門型形状が形成される。
【００３０】
間隔プレート１４は、アルミ材から形成され、例えば、柱部１２の上端側の外側面に形成された係止突起部１２Ａ（図２（Ａ）参照）に対して係止されることで、隣り合う柱部１２同士を一定間隔に固定することができる。上述したように、組み立て式テント１０が設置された状況では、隣り合う柱部１２同士が、２２．５度の一定間隔にて離間した状態にて固定されるように、間隔プレート１４は、隣り合う柱部１２間に配設されている。
【００３１】
シート部１６は、梁部１３の上面を覆う２枚の屋根シート部１６Ａ、１６Ｄと、柱部１２の側面を覆う２枚の壁面シート部１６Ｂ、１６Ｃと、を有している。シート部１６は、防水性や耐久性に優れたシート状のビニール材から形成され、柱脚部１１、柱部１２及び梁部１３の外側面に配設される。この構造により、空間部１５は、風や雨や雪等に晒されることから防止される。
【００３２】
具体的には、屋根シート部１６Ａは、組み立て式テント１０の後方端から前方に向けて覆うシートであり、屋根シート部１６Ｄは、組み立て式テント１０の前方端から後方に向けて覆うシートである。そして、屋根シート部１６Ａは、その長手方向の幅において、最後方の９枚目の柱部１２に固定された梁部１３から４枚目の柱部１２に固定された梁部１３までを塞ぐ長さを有している。一方、屋根シート部１６Ｄは、最前方の１枚目の柱部１２に固定された梁部１３から４枚目の柱部１２に固定された梁部１３までを塞ぐ長さを有している。そして、４枚目の梁部１３の領域にて、屋根シート部１６Ｄが、屋根シート部１６Ａの下方に潜るように配設され、例えば、２００ｍｍ程度、屋根シート部１６Ａ、１６Ｄは重畳して配設されている。
【００３３】
また、両屋根シート部１６Ａ、１６Ｄは、その短手方向の幅では、梁部１３上面から柱部１２の上端側を覆う長さを有している。そして、屋根シート部１６Ａ、１６Ｄの左右方向の両端部近傍には、上述した柱部１２の係止突起部１２Ａ（図２（Ａ）参照）に対して固定される係止孔（図示せず）が複数形成されている。この構造により、組み立て式テント１０を設置する際には、簡単に屋根シート部１６Ａを梁部１３の上面に配設することができる。尚、屋根シート部１６Ａの後端部は、９枚目の柱部１２に固定された梁部１３により押さえられ、屋根シート部１６Ｄの前端部は、１枚目の柱部１２に固定された梁部１３により押さえられる。
【００３４】
また、壁面シート部１６Ｂ、１６Ｃは、それぞれ柱脚部１１、支持補助部１７及び柱部１２の外側面を覆うように、略半円形状に形成されている。そして、壁面シート部１６Ｂ、１６Ｃの外周端部近傍には、上述した柱部１２の係止突起部１２Ａ及び柱脚部１１や支持補助部１７の外側面に形成された係止突起部１１Ｅ（図２（Ａ）参照）、１７Ａ（図１（Ｂ）参照）に対して固定される係止孔（図示せず）が複数形成されている。この構造により、組み立て式テント１０を設置する際には、簡単に壁面シート部１６Ｂ、１６Ｃを柱脚部１１、柱部１２及び支持補助部１７の外側面に配設することができる。
【００３５】
尚、図示していないが、屋根シート部１６Ａ、１６Ｂの左右方向の両端部近傍には、係止用紐が配設されている。また、壁面シート部１６Ｂ、１６Ｃの上側の外周端部にも係止用紐が配設されている。この構造により、屋根シート部１６Ａ、１６Ｂは、左右方向に引っ張られた状態にて、一方、壁面シート部１６Ｂ、１６Ｃは、上方側に引っ張られた状態にて、それぞれの係止紐が結ばれることで、シート部１６全体の弛みを防止することができる。
【００３６】
図１（Ｂ）に示す如く、組み立て式テント１０から車両２１を出し入れする際には、例えば、柱脚部１１の１枚目から３枚目までの可動部材１１Ｂと連結した柱部１２を後方側へと回動させ、紐（図示せず）等により４枚目の可動部材１１Ｂと連結した柱部１２へと固定する。更に、支持部材２２にて、１枚目の可動部材１１Ｂと連結した柱部１２を支える。そして、屋根シート部１６Ｄは取り外され、壁面シート部１６Ｂ、１６Ｃは後方側へと折り返され、面ファスナー等により固定されることで、常時、組み立て式テント１０の前方側が開口した状態となり、自由に組み立て式テント１０の空間部１５へと車両２１を入庫し、あるいは、車両２１を出庫することができる。尚、組み立て式テント１０内に出し入れする車両２１の車高に応じて、後方側へと回動させる柱部１２の本数は調整可能である。
【００３７】
次に、図２（Ａ）は、本実施形態の組み立て式テント１０を説明する断面図であり、図１（Ａ）に示す組み立て式テント１０のＡ−Ａ線方向の断面を示している。図２（Ｂ）は、本実施形態の組み立て式テント１０のベース構造を説明する平面図である。図２（Ｃ）は、本実施形態の組み立て式テント１０のベース構造を説明する断面図であり、図２（Ｂ）に示すベース構造のＢ−Ｂ線方向の断面を示している。尚、図２（Ｂ）では、説明の都合上、適宜、柱脚部１１、柱部１２及び梁部１３を省略して図示している。
【００３８】
図２（Ａ）に示す如く、組み立て式テント１０の柱部１２と梁部１３とは、空間部１５の上端側にて、方杖部２３にて連結されている。上述したように、梁部１３は、その両端側にて柱部１２に対してボルト締結されているが、更に、方杖部２３を介して連結することで、組み立て式テント１０が、地震等の揺れや風による風圧に対して強い構造が実現される。
【００３９】
図示したように、ロープ２４と支持杭２５を用いて、組み立て式テント１０の左右方向の側面にて、少なくとも２箇所以上の補強を図ることで、天候状況等に応じて、組み立て式テント１０の強風対策を施す場合でも良い。
【００４０】
また、組み立て式テント１０は、例えば、見付け面の左右方向の横幅は約２５００ｍｍであり、見付け面の上下方向の高さ幅は、最頂部にて２５００ｍｍ有している。尚、組み立て式テント１０内に収納される車両２１の大きさや使用目的に応じて、組み立て式テント１０の大きさは、任意の設計変更が可能である。
【００４１】
図２（Ｂ）に示す如く、組み立て式テント１０が設置され、その全面がシート部１６にて閉ざされた状況では、組み立て式テント１０のベース構造は、柱脚部１１と、１枚目及び９枚目の可動部材１１Ｂに連結する柱部１２及びその上端側に固定された梁部１３と、柱脚部１１の前後両端側に配設されると共に、上記柱部１２を上面から覆うように配設される支持補助部１７と、により構成されている。そして、柱脚部１１、柱部１２、梁部１３及び支持補助部１７は、設置面Ｇ上に配設されることで、安定した状態にて組み立て式テント１０を支持することができる。
【００４２】
図示したように、組み立て式テント１０の左右両側において、片側４箇所にて重り部１８が、支持補助部１７を上面から覆うように配設されることで、更に、組み立て式テント１０のベース構造が、安定した状態となる。尚、重り部１８の数や配設箇所は、任意の設計変更が可能である。
【００４３】
図２（Ｃ）に示す如く、支持補助部１７は、例えば、アルミ材から形成され、その長手方向（延在方向）と水平方向の断面が略コの字形状であり、底辺：１００ｍｍ×縦：５０ｍｍ×厚み：５ｍｍの寸法を有している。そして、支持補助部１７は、例えば、その長さが２２００ｍｍあり、設置面上に配設された１枚目及び９枚目の柱部１２を上面から覆うように配設される。この構造により、組み立て式テント１０のベース構造が補強され、組み立て式テント１０が、地震等の揺れや風による風圧に対して強い構造が実現される。
【００４４】
図示したように、重り部１８は、例えば、Ｈ鋼材から形成され、重り部１８には、支持補助部１７を上面から押さえるための押え部１８Ａが形成されている。そして、重り部１８は、支持補助部１７を上面から覆うと共に、押さ部１８Ａにて、柱部１２の上面を設置面Ｇ側へと押え込むように配設される。支持補助部１７の一部は、柱脚部１１の支持土台部１１Ａの上面に配設されることで、柱脚部１１も支持補助部１７にて固定された状態となる。例えば、支持補助部１７は、柱脚部１１の支持土台部１１Ａの前後方向にて、それぞれ２００ｍｍ程度重畳する。そして、重り部１８は、この支持補助部１７と支持土台部１１Ａの上記重畳領域上に配設されることで、重り部１８の押さ部１８Ａにて、柱脚部１１の前後方向の端部が、それぞれ固定されることとなる。この構造により、組み立て式テント１０に地震等の揺れや風による風圧が加わった場合でも、支持補助部１７及び支持土台部１１Ａの動きを規制し、組み立て式テント１０を安定した状態にて維持することができる。
【００４５】
図３（Ａ）は、本実施形態の組み立て式テント１０の柱脚部１１を説明する側面図であり、柱脚部１１を外側から見た状態を示している。図３（Ｂ）は、本実施形態の組み立て式テント１０の柱脚部１１を説明する斜視図であり、柱脚部１１を内側から見た状態を示している。
【００４６】
図３（Ａ）に示す如く、柱脚部１１は、主に、設置面Ｇ上に配設される支持土台部１１Ａと、支持土台部１１Ａに対して回動自在に固定される複数の可動部材１１Ｂと、可動部材１１Ｂに固定される連結用の連結部材１１Ｃと、可動部材１１Ｂを軸支する軸部１１Ｄと、を有している。
【００４７】
図３（Ｂ）に示す如く、支持土台部１１Ａは、その長手方向（延在方向）と水平方向の断面が略コの字形状であり、底辺：１２５ｍｍ×縦：６５ｍｍ×厚み：６ｍｍの寸法を有し、その長手方向の長さＬは６００ｍｍである。そして、支持土台部１１Ａの長手方向の中心には軸部１１Ｄが配設され、軸部１１Ｄは、例えば、ボルトとナットにより形成され、ボルトが支持土台部１１Ａを左右方向に貫通している。
【００４８】
上述したように、９枚の可動部材１１Ｂが、支持土台部１１Ａの枠内に収納されるように、軸部１１Ｄに回動自在に固定されている。そして、可動部材１１Ｂは、例えば、その長手方向（延在方向）と水平方向の断面が略Ｌ字形状の不等辺アングルからなり、縦：６０ｍｍ×横：４０ｍｍ×厚み：５ｍｍの寸法を有している。尚、可動部材１１Ｂの形状は、上記不等辺アングルの形状に限定されるものではなく、任意の設計変更が可能である。
【００４９】
可動部材１１Ｂの上端側には、連結部材１１Ｃがボルト締結され、連結部材１１Ｃの一部は、可動部材１１Ｂの上端側から導出している。そして、連結部材１１Ｃは、例えば、その長手方向（延在方向）と水平方向の断面が略Ｌ字形状の等辺アングルからなり、縦：４０ｍｍ×横：４０ｍｍ×厚み：５ｍｍの寸法を有している。尚、連結部材１１Ｃの形状は、上記等辺アングルの形状に限定されるものではなく、任意の設計変更が可能である。
【００５０】
図示したように、連結部材１１Ｃは、可動部材１１Ｂの内側面に沿って配置されると共に、連結部材１１Ｃのコーナー部が、可動部材１１Ｂのコーナー部に位置合わせされて配置されている。つまり、連結部材１１Ｃが、上記水平方向断面において、可動部材１１Ｂからはみ出さないように、その内側に固定されている。尚、本実施形態では、連結部材１１Ｃは、可動部材１１Ｂに対して予めボルト締結されている構造である。
【００５１】
本実施形態では、９枚の可動部材１１Ｂは、それぞれ隣り合う可動部材１１Ｂの外側に沿うように積層するが、上記連結部材１１Ｃの一部が、可動部材１１Ｂの外形からはみ出さない構造により、支持土台部１１Ａの枠内の限られたスペースでも、９枚の可動部材１１Ｂが、それぞれ回動することが可能となる。その結果、柱脚部１１の小型化及び軽量化が実現され、高齢者や女性等の非力な人でも、容易に持ち運ぶことができる。
【００５２】
次に、図４は、本実施形態の組み立て式テント３０の変形例を説明する側面図であり、車両３１が組み立て式テント３０内に入庫されている状態を示している。尚、組み立て式テント３０の説明の際には、上述した組み立て式テント１０と同一の構成部材には、同一の符番を用いて説明する。
【００５３】
図４に示す組み立て式テント３０では、ミニバンタイプや中、大型車等、車高の高い車両３１が、出し入れ可能となるため、柱部１２を固定する位置が、図１から図３を用いて上述した組み立て式テント１０とは異なっている。そのため、組み立て式テント３０のシート部３２の形状は、組み立て式テント１０のシート部１６の形状とは異なるが、その係止構造は同一である。また、組み立て式テント３０のその他の構成部品は、組み立て式テント１０の構成部品と同一であるため、上述した説明を参照し、ここでは繰り返しの説明を省略する。尚、柱部１２や梁部１３の長さ等は、車両３１の大きさに応じて、適宜、設計変更可能である。
【００５４】
つまり、組み立て式テント３０では、車両３１の大きさに応じて、柱脚部１１の２枚目及び８枚目の可動部材１１Ｂと連結する柱部１２に対して、支持部材２２を用いて一定の高さにて位置固定することで、入庫した車両３１が、組み立て式テント３０内の梁部１３等と接触することが防止される。そして、図示したように、２枚目から８枚目の可動部材１１Ｂと連結する柱部１２は、間隔プレート１４を介して等間隔に配設されている。
【００５５】
尚、本実施形態では、組み立て式テント１０、３０を車庫として用いる場合について説明したが、この場合に限定するものではない。組み立て式テント１０、３０は、例えば、震災等の緊急時における仮設テントとして用いる場合でも良い。また、シート部１６、３２として透明のビニールシートを用いることで、ビニールハウスとしても用いる場合でも良い。その他、本考案の要旨を逸脱しない範囲にて種々の変更が可能である。
【符号の説明】
【００５６】
１０  組み立て式テント
１１  柱脚部
１１Ａ  支持土台部
１１Ｂ  可動部材
１１Ｃ  連結部材
１１Ｄ  軸部
１１Ｅ  係止突起部
１２  柱部
１２Ａ  係止突起部
１３  梁部
１４  間隔プレート
１５  空間部
１６  シート部
１６Ａ、１６Ｄ  屋根シート部
１６Ｂ、１６Ｃ  壁面シート部
１７  支持補助部
１７Ａ  係止突起部
１８  重り部
２２  支持部材
２３  方杖部
３０  組み立て式テント
３２  シート部
【図１】
0003213799.tif 000003
【図２】
0003213799.tif 000004
【図３】
0003213799.tif 000005
【図４】
0003213799.tif 000006
【図５】
0003213799.tif 000007
【図６】
0003213799.tif 000008